【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
植物材料から油を抽出するためのシステムを提供することであって、（ａ）マイクロ波エミッタ、（ｂ）前記マイクロ波エミッタによって放射されたマイクロ波放射線が抽出チャンバ中へ向けられるように前記マイクロ波エミッタと連通する、抽出チャンバ、および（ｃ）前記抽出チャンバ中の揮発油が冷却チャンバ中へ向けられるように前記抽出チャンバと連通する、冷却チャンバを含む、システムを提供することと、
植物材料とマイクロ波吸収剤とを組み合わせることと、ここで、前記マイクロ波吸収剤は水ではなく、
前記植物材料および前記マイクロ波吸収剤を前記抽出チャンバ中へ挿入することと、
前記マイクロ波吸収剤に前記マイクロ波エミッタから放射されたマイクロ波放射線を照射し、それにより前記マイクロ波吸収剤の誘電加熱、または前記マイクロ波吸収剤の界面分極による加熱のいずれかを行い、前記植物材料を加熱し、前記植物材料から植物油を揮発させて揮発油を生成することと、
前記冷却チャンバ中で前記揮発油を凝縮させ、それにより凝縮油を生成することと、
前記凝縮油の一部を回収し、それにより食用に適した回収油を生成することと
を含む、植物材料から油を抽出する方法。
【請求項２】
前記植物材料を前記マイクロ波吸収剤と組み合わせることは、前記植物材料を、前記マイクロ波吸収剤を含むマイクロ波吸収組成物と組み合わせることを含み、
前記マイクロ波吸収組成物は５０μｍ〜５ｃｍの大きさの固体の混合物を含み、
前記固体の混合物の少なくとも一部の固体は前記マイクロ波吸収剤を含む、
請求項１に記載の方法。
【請求項３】
前記固体の混合物は粉末、グリット、フレーク、ビーズ、規則充填物、繊維、ロッド、金属、ガラス、セラミック、砂、または粘土を含む、請求項２に記載の方法。
【請求項４】
前記植物材料を前記マイクロ波吸収剤と組み合わせることは、前記植物材料を、前記マイクロ波吸収剤を含むマイクロ波吸収組成物と組み合わせることを含み、
前記マイクロ波吸収組成物は少なくとも１つのロッド、チューブ、またはシートを含み、
前記少なくとも１つのロッド、チューブ、またはシートは１ｃｍ〜１００ｃｍの少なくとも１つの寸法を有し、
前記少なくとも１つのロッド、チューブ、またはシートは前記マイクロ波吸収剤を含む、
請求項１に記載の方法。
【請求項５】
前記植物材料を前記マイクロ波吸収剤と組み合わせることは、前記植物材料を、前記マイクロ波吸収剤を含むマイクロ波吸収組成物と組み合わせることを含み、
前記マイクロ波吸収組成物は、１つまたは複数のマイクロ波吸収剤を含浸させた基材を含む、
先行請求項のいずれか一項に記載の方法。
【請求項６】
前記基材はガラス、セラミック、粘土、塩、金属、砂、または破砕された岩である、請求項５に記載の方法。
【請求項７】
前記マイクロ波吸収組成物は液体である、請求項１に記載の方法。
【請求項８】
前記マイクロ波吸収剤は大気圧で３６０°Ｆ超の沸点を有する、先行請求項のいずれか一項に記載の方法。
【請求項９】
前記マイクロ波吸収剤は食品中に存在せず、典型的なヒトの食事中にも見られない化合物である、先行請求項のいずれか一項に記載の方法。
【請求項１０】
前記抽出チャンバの内部の温度を３００°Ｆ〜４５０°Ｆで維持することを含む、請求項１に記載の方法。
【請求項１１】
前記冷却チャンバの少なくとも１つの表面を７０°Ｆ〜３１４°Ｆの温度で維持することをさらに含む、先行請求項のいずれか一項に記載の方法。
【請求項１２】
前記冷却チャンバの少なくとも１つの表面を、５０°Ｆ〜０°Ｆの温度で維持することを含む、請求項１に記載の方法。
【請求項１３】
前記抽出チャンバは第１の開口および第２の開口を含み、
前記植物材料および前記マイクロ波吸収剤は前記第１の開口を通して前記抽出チャンバ中へ挿入され、
前記抽出チャンバ中の前記揮発油は前記第２の開口を通して前記冷却チャンバ中へ向けられる、
先行請求項のいずれか一項に記載の方法。
【請求項１４】
前記植物材料はアサまたはカンナビスを含む、先行請求項のいずれか一項に記載の方法。
【請求項１５】
前記凝縮油および前記回収油はカンナビジオール（ＣＢＤ）、カンナビジバリン（ＣＢＤＶ）、テトラヒドロカンナビノール（ＴＨＣ）、テトラヒドロカンナビバリン（ＴＨＣＶ）、カンナビゲロール、カンナビクロメン、リナロール、カリオフィレン、ミルセン、リモネン、フムレン、ピネン、または前述の２つ以上の組み合わせを含む、先行請求項のいずれか一項に記載の方法。
【請求項１６】
前記植物油の沸点は２１２°Ｆ超である、先行請求項のいずれか一項に記載の方法。
【請求項１７】
植物材料から油を抽出するためのシステムを提供することであって、（ａ）マイクロ波エミッタ、（ｂ）前記マイクロ波エミッタによって放射されたマイクロ波放射線が抽出チャンバ中へ向けられるように前記マイクロ波エミッタと連通する、抽出チャンバ、および（ｃ）前記抽出チャンバ中の揮発油が冷却チャンバ中へ向けられるように前記抽出チャンバと連通する、冷却チャンバを含む、システムを提供することと、
植物材料とマイクロ波吸収剤とを組み合わせることと、ここで、前記植物材料はアサまたはカンナビスであり、前記マイクロ波吸収剤は水ではなく、
前記植物材料および前記マイクロ波吸収剤を前記抽出チャンバ中へ挿入することと、
前記マイクロ波吸収剤に前記マイクロ波エミッタから放射されたマイクロ波放射線を照射し、それにより前記マイクロ波吸収剤の誘電加熱、または前記マイクロ波吸収剤の界面分極による加熱のいずれかを行い、前記植物材料を３１４°Ｆ〜４５０°Ｆの温度に加熱し、前記植物材料からテトラヒドロカンナビノール（ＴＨＣ）またはカンナビジオール（ＣＢＤ）を揮発させてＴＨＣまたはＣＢＤを含む揮発油を生成することと、
前記冷却チャンバ中で前記揮発油を７０°Ｆ〜３６５°の温度に凝縮させ、それによりＴＨＣまたはＣＢＤを含む凝縮油を生成することと、
前記凝縮油の一部を回収し、それによりＴＨＣまたはＣＢＤを含む回収油を生成することと
を含む、アサまたはカンナビスからＴＨＣおよび／またはＣＢＤを抽出する方法。
【請求項１８】
マイクロ波エミッタと、
前記マイクロ波エミッタによって放射されたマイクロ波放射線が抽出チャンバ中へ向けられるように前記マイクロ波エミッタと連通する、抽出チャンバと、
前記抽出チャンバ中に配置されたマイクロ波吸収組成物であって、前記マイクロ波吸収組成物はマイクロ波吸収剤を含み、前記マイクロ波吸収組成物は食品ではない、マイクロ波吸収組成物と、
前記抽出チャンバ中に配置された植物材料と、
前記抽出チャンバ中の揮発油が冷却チャンバ中へ向けられるように前記抽出チャンバと連通する、冷却チャンバと
を含む、植物材料から油を抽出するためのシステムであって、
前記システムは、前記マイクロ波エミッタから放射されたマイクロ波放射線によって、前記マイクロ波吸収剤の誘電加熱、または前記マイクロ波吸収剤の界面分極による加熱のいずれかを行うように構成され、
前記システムは、前記マイクロ波吸収組成物から放射された熱放射によって前記植物材料を加熱し、それにより前記植物材料の油を揮発させて揮発油を生成するように構成され、
前記冷却チャンバは前記揮発油の少なくとも一部を凝縮させるように動作可能である、
システム。
【請求項１９】
前記マイクロ波吸収組成物は、０．１μｍ〜５ｃｍの大きさの固体の混合物を含み、
前記固体の混合物の少なくとも一部の固体は前記マイクロ波吸収剤を含む、
請求項１８に記載のシステム。
【請求項２０】
前記マイクロ波吸収組成物は、１つまたは複数のマイクロ波吸収剤を含浸させた基材を含む、請求項１８または１９に記載のシステム。
【請求項２１】
前記マイクロ波吸収組成物は液体である、請求項１８に記載の方法。
【請求項２２】
前記マイクロ波吸収剤は大気圧で３６０°Ｆ超の沸点を有する、請求項１８〜２１のいずれか一項に記載のシステム。
【請求項２３】
前記抽出チャンバは第１の開口および第２の開口を含み、
前記第１の開口は前記植物材料および前記マイクロ波吸収組成物が前記抽出チャンバに出入りできるような形状および大きさであり、
前記第１の開口は可逆的に密封され、それにより揮発油が前記第１の開口を通って前記抽出チャンバを出ることを阻止し、
前記第２の開口は揮発油が前記抽出チャンバを出て前記冷却チャンバに入れるように構成される、
請求項１８〜２２のいずれか一項に記載のシステム。
【請求項２４】
真空ポンプをさらに含み、前記真空ポンプは、前記抽出チャンバまたは前記抽出チャンバ内に配置された取り外し可能カートリッジのいずれかの内部の圧力を低下させるように動作可能である、請求項１８〜２３のいずれか一項に記載のシステム。
【請求項２５】
１０ｋｇ〜１００ｋｇの植物材料を含む、請求項１８に記載のシステム。